(57)【要約】      （修正有）【課題】縦型設置装置の転倒を防止して、設置の安定化を図った縦型設置装置のスタンドを提供する。【解決手段】縦型設置装置１１を支持するスタンド１９をケーシング１３の底面１５に装着し、該スタンドは縦型の長手方向に沿って前後の支持脚１７の間に展開及び収納自在に取り付く左右一対のスタンド片２１からなり、スタンド片がケーシング１３の外方へ展開すると、スタンド片本体の内周がケーシングの底部外周に当接して、スタンド片が縦型設置装置に対し９０度の位置で位置決めされる。両スタンド片の外周は、縦型設置装置の長手方向に沿って円弧状に形成されており、スタンド片の外周を円弧状に形成したことで、縦型設置装置が転倒しかかった際に、スタンド片は一点で支えることになるため、力点が移動して力が逃げ、転倒を防止することができる。【選択図】図１
2008294354.tif 000002
【特許請求の範囲】
【請求項１】
縦型設置装置の長手方向に沿って、被設置面との当接部位の外周形状を円弧状に形成したことを特徴とする縦型設置装置のスタンド。
【請求項２】
前記スタンドは、被設置面に当接する基台と、該基台上に立設され、縦型設置装置を挟持する２つの挟持壁とからなり、前記基台は、平面視円形状に形成されていることを特徴とする請求項１に記載の縦型設置装置のスタンド。
【請求項３】
前記スタンドは、被設置面に当接する基台と、該基台上に立設され、縦型設置装置を挟持する２つの挟持壁とからなり、前記基台は、平面視楕円形状に形成されていることを特徴とする請求項１に記載の縦型設置装置のスタンド。
【請求項４】
前記スタンドは、被設置面に当接する基台と、該基台上に立設され、縦型設置装置を挟持する２つの挟持壁とからなり、前記基台は、縦型設置装置の長手方向に沿って外周が円弧状に形成されていることを特徴とする請求項１に記載の縦型設置装置のスタンド。
【請求項５】
前記スタンドは、被設置面に当接し、縦型設置装置の長手方向に沿ってその底部に展開／収容自在に取り付く一対のスタンド片からなることを特徴とする請求項１に記載の縦型設置装置のスタンド。
【請求項６】
前記スタンド片は、収容時に互いに嵌合する切欠きが設けられていることを特徴とする請求項５に記載の縦型設置装置のスタンド。
【請求項７】
円弧状に形成した前記スタンドの外周側端部に、弾性を持たせたことを特徴とする請求項１乃至請求項６のいずれか１項に記載の縦型設置装置のスタンド。
【請求項８】
前記外周側端部を薄肉に形成して、該外周側端部に弾性を持たせたことを特徴とする請求項７に記載の縦型設置装置のスタンド。
【請求項９】
前記外周側端部に沿ってスリットを形成し、該外周側端部に弾性を持たせたことを特徴とする請求項７に記載の縦型設置装置のスタンド。
【請求項１０】
前記スタンドの被設置面との当接部位を、弾性を有する材料で形成したことを特徴とする請求項７に記載の縦型設置装置のスタンド。
【発明の詳細な説明】
【技術分野】
【０００１】
本発明は、モデム等の縦型設置装置を机上等に設置する際に用いるスタンドに関する。
【背景技術】
【０００２】
従来、モデム等の縦型設置装置を机上等に設置する場合、特許文献１に開示されるように該縦型設置装置に取り外し可能なスタンド、或いは該縦型設置装置の底部に一体成形した固定式のスタンドが用いられている。
【０００３】
図２１は特許文献１に開示された縦型設置装置１のスタンド３を示し、該スタンド３は、縦型設置装置１の長手方向に沿って平面視矩形状に形成された基台３ａと、縦型設置装置１に沿って該基台３ａ上に立設した２つの挟持壁３ｂ，３ｃとからなり、両挟持壁３ｂ，３ｃ間に縦型設置装置１を挟持し、縦型設置装置１の底面をネジ５でスタンド３の基台３ａに固定して、縦型設置装置１を机上等に設置している。
【０００４】
また、図示しないが固定式のスタンドは、縦型設置装置の左右両側面の下部に、スタンド片を横方向へ一体的に突設したもので、通常、スタンド片は縦型設置装置の長手方向に沿って左右に一つ、或いは複数設けられている。
【特許文献１】特開２００１−３５８４６９号公報
【発明の開示】
【発明が解決しようとする課題】
【０００５】
しかし乍ら、前記スタンド３は、縦型設置装置１への取付け，取り外し作業が繁雑で、縦型設置装置１から取り外したスタンド３を別途保管しておかなければならない煩わしさがあった。
【０００６】
一方、固定式のスタンドは、該スタンドを必要としない設置時に、スタンド片が設置の妨げになってしまう問題があった。また、縦型設置装置の大きさや重心位置に応じてスタンドの形状を大きくする必要があるが、スタンドを装置内に収容するスペースが限られているため、スタンド設置面を大きく取れない問題がある。
【０００７】
更に、内部の冷却のために、縦型設置装置１の底面に設けた通気口から空気を取り入れる場合、図２１の如く縦型設置装置１の底部にスタンド３を取り付けてしまうと、スタンド３が通気口を塞いで冷却効率が低下してしまう虞がある。
【０００８】
このため、縦型設置装置１の底部をスタンド３から浮かせる必要があるが、従来のスタンド３の形状は、縦型設置装置１の転倒防止を考慮した構造ではないため、縦型設置装置１を浮かせてしまうと、縦型設置装置１の重心が高くなって不安定となってしまう欠点がある。
【０００９】
本発明は斯かる実情に鑑み案出されたもので、縦型設置装置の転倒を積極的に防止して、設置の安定化を図った縦型設置装置のスタンドを提供することを第一の目的とする。
【００１０】
そして、本発明の第二の目的は、スタンドの取付け作業や取り外し作業を不要とし、併せてこれらの作業を不要とし乍ら、より広い設置面積を確保することのできる縦型設置装置のスタンドを提供することにある。
【課題を解決するための手段】
【００１１】
斯かる目的を達成するため、請求項１に係る縦型設置装置のスタンドは、縦型設置装置の長手方向に沿って、被設置面との当接部位の外周形状を円弧状に形成したことを特徴とする。
【００１２】
そして、請求項２に係る発明は、請求項１に記載の縦型設置装置のスタンドに於て、前記スタンドは、被設置面に当接する基台と、該基台上に立設され、縦型設置装置を挟持する２つの挟持壁とからなり、前記基台は、平面視円形状に形成されていることを特徴とし、請求項３に係る発明は、請求項１に記載の縦型設置装置のスタンドに於て、前記スタンドは、被設置面に当接する基台と、該基台上に立設され、縦型設置装置を挟持する２つの挟持壁とからなり、前記基台は、平面視楕円形状に形成されていることを特徴とする。
【００１３】
更に、請求項４に係る発明は、請求項１に記載の縦型設置装置のスタンドに於て、前記スタンドは、被設置面に当接する基台と、該基台上に立設され、縦型設置装置を挟持する２つの挟持壁とからなり、前記基台は、縦型設置装置の長手方向に沿って外周が円弧状に形成されていることを特徴としている。
【００１４】
一方、請求項５に係る発明は、請求項１に記載の縦型設置装置のスタンドに於て、前記スタンドは、被設置面に当接し、縦型設置装置の長手方向に沿ってその底部に展開／収容自在に取り付く一対のスタンド片からなることを特徴とし、請求項６に係る発明は、請求項５に記載の縦型設置装置のスタンドに於て、前記スタンド片は、収容時に互いに嵌合する切欠きが設けられていることを特徴とする。
【００１５】
また、請求項７に係る発明は、請求項１乃至請求項６のいずれか１項に記載の縦型設置装置のスタンドに於て、円弧状に形成した前記スタンドの外周側端部に、弾性を持たせたことを特徴とし、請求項８に係る発明は、請求項７に記載の縦型設置装置のスタンドに於て、前記外周側端部を薄肉に形成して、該外周側端部に弾性を持たせたことを特徴とする。
【００１６】
そして、請求項９に係る発明は、請求項７に記載の縦型設置装置のスタンドに於て、前記外周側端部に沿ってスリットを形成し、該外周側端部に弾性を持たせたことを特徴とし、請求項１０に係る発明は、請求項７に記載の縦型設置装置のスタンドに於て、前記スタンドの被設置面との当接部位を、弾性を有する材料で形成したことを特徴としている。
【発明の効果】
【００１７】
請求項１乃至請求項４に係る発明によれば、装置設置の確実な安定化を図ることができる利点を有する。
【００１８】
そして、請求項５に係る発明によれば、縦型設置装置へのスタンドの取付け，取り外し作業が不要になると共に、縦型設置装置から取り外したスタンドを別途保管しておかなければならない従来の煩わしさから解放される利点を有する。また、スタンド片を縦型設置装置の底部に収容しておけば、スタンドを必要としない設置時にスタンドが設置の妨げになることもない。
【００１９】
更に、請求項６に係る発明によれば、スタンド片の設置面積を広げることが可能となり、この結果、装置設置のより確実な安定化を図ることができる利点を有する。
【００２０】
そして、請求項７乃至請求項１０に係る発明によれば、縦型設置装置が転倒しそうになった場合、弾性を有するスタンドの外周側端部が撓み、その弾力で力が他点に逃げるため、縦型設置装置の転倒をより確実に防止することが可能となる。
【発明を実施するための最良の形態】
【００２１】
以下、本発明の実施形態を図面に基づいて詳細に説明する。
【００２２】
図１乃至図８は請求項１及び請求項５の一実施形態に係るスタンドとこれを装着した縦型設置装置を示し、図１中、１１はモデム等の縦型設置装置で、図２１の縦型設置装置１と同様、縦型設置装置１１は、ＡＢＳ樹脂等によりケーシング１３が狭幅な箱体に形成され、ケーシング１３の底部１５の四隅に、断面略正方形状の中実な支持脚１７が突設されている。
【００２３】
そして、図１に示すように本実施形態は、前記ケーシング１３の底部１５に、机上等の被設置面に当接して縦型設置装置１１を支持するスタンド１９を装着したもので、図１乃至図８に示すように該スタンド１９は、縦型設置装置１１（ケーシング１３）の長手方向に沿って前後の支持脚１７の間に展開／収容自在に取り付く左右一対のスタンド片２１からなり、図６の如く支持脚１７には、夫々、ケーシング１３の長手方向に取付ピン２３のピン挿通孔２５が設けられている。
【００２４】
而して、図６乃至図８に示すようにスタンド片２１は左右同一形状からなり、スタンド片２１は、縦型設置装置１１（ケーシング１３）の長手方向に沿って前後の支持脚１７間に配置される薄肉な支持突片２７と、図２の如く該支持突片２７よりも厚肉で、支持脚１７の高さ寸法Ｈと同一の肉厚Ｍとされたスタンド片本体２９とからなり、図４に示すようにスタンド片本体２９は、縦型設置装置１１（ケーシング１３）の長手方向の寸法と同一寸法とされている。
【００２５】
そして、前記ピン挿通孔２５を挿通した取付ピン２３が支持片２７の前後に挿着して、図２乃至図５の如くスタンド片２１が該取付ピン２３を回動中心にケーシング１３の外方及び底部１５に展開／収容できるようになっており、図３の如くスタンド片２１がケーシング１３の外方へ展開すると、スタンド片本体２９の内周３１がケーシング１３の底部外周に当接して、スタンド片２１が縦型設置装置１１（ケーシング１３）に対し９０°の位置で位置決めされるようになっている。
【００２６】
また、既述したようにスタンド片本体２９は支持脚１７の高さ寸法Ｈと同一寸法とされているため、図２の如くスタンド片２１をケーシング１３の底部１５に収容すると、スタンド片２１が支持脚１７によるケーシング１３の自立に支障を来すことがなく、図８に示すように両スタンド片２１は、若干の間隙Ｓを空けて底部１５側に収容されるようになっている。
【００２７】
更に、図５乃至図７に示すように両スタンド片２１（スタンド片本体２９）の外周３３は、縦型設置装置１１（ケーシング１３）の長手方向に沿って円弧状に形成されており、このように、スタンド片２１の外周３３を円弧状に形成したことで、例えば図１の矢印方向へ縦型設置装置１１が転倒しかかった際に、図２１の従来例と異なり、スタンド片２１は面で支えるのでなく一点で支えることになるため、力が他点に逃げ（力点が移動して力が逃げ）、転倒を防止することができる。
【００２８】
本実施形態はこのように構成されているから、スタンド１９を用いて縦型設置装置１１を机上等に設置する場合、図３及び図５に示すように取付ピン２３を回動中心に左右のスタンド片２１をケーシング１３の外方へ展開させればよく、両スタンド片本体２９の内周３１がケーシング１３の底部外周に当接して、スタンド片２１が縦型設置装置１１（ケーシング１３）に対し９０°の位置で位置決めされ、縦型設置装置１１が両スタンド片２１を介して机上等に設置される。
【００２９】
そして、斯様に机上等に設置された縦型設置装置１１が、ケーブルや人の手足による人為的操作等で例えば図１の矢印方向へ転倒しかかると、既述したようにスタンド片２１は面で支えるのでなく一点で支えることになるため、力が他点に逃げ（力点が移動して力が逃げ）て転倒を防止する。
【００３０】
また、前記スタンド１９を必要としない設置時には、図１，図２及び図４の如く左右のスタンド片２１を縦型設置装置１１の底部１５に収容しておけばよく、スタンド片２１のスタンド片本体２９は支持脚１７の高さ寸法Ｈと同一寸法とされているため、図２の如くスタンド片２１を底部１５に収容しても、スタンド片２１が支持脚１７によるケーシング１３の自立に支障を来すことがない。
【００３１】
このように、本実施形態は、縦型設置装置１１を支持するスタンド１９を左右一対のスタンド片２１で構成し、そして、該スタンド片２１を、縦型設置装置１１の底部１５に取付ピン２３を回動中心にケーシング１３の外方及び底部１５に展開／収容できるように構成したので、縦型設置装置１１へのスタンド１９の取付け，取り外し作業が不要になると共に、縦型設置装置から取り外したスタンドを別途保管しておかなければならない従来の煩わしさから解放される利点を有する。
【００３２】
また、スタンド片２１をケーシング１３の底部１５に収容しておけば、スタンド１９を必要としない設置時に、スタンド１９が設置の妨げになることもない。
【００３３】
そして、スタンド片２１（スタンド片本体２９）の外周３３は、縦型設置装置１１（ケーシング１３）の長手方向に沿って円弧状に形成されているため、縦型設置装置１１が転倒しかかっても、スタンド片２１は面で支えるのでなく一点で支えることになるため、力が他点に逃げ、この結果、縦型設置装置１１の転倒を積極的に防止することが可能となった。
【００３４】
尚、前記実施形態では、左右一対のスタンド片２１を前後の支持脚１７間に展開／収容自在に取り付けたが、図７の二点鎖線で示すように前記両スタンド片２１に加え、左右の支持脚１７間に、夫々、円弧状のスタンド片２１ａを展開／収容自在に取り付けて、スタンド片２１，２１ａの展開時に、略楕円形状のスタンド１９-1が形成できるようにしてもよい。
【００３５】
図９乃至図１４は、請求項１，請求項５及び請求項６の一実施形態に係るスタンドとこれを装着した縦型設置装置を示し、図１４に示すように本実施形態は、前記スタンド片２１に比し幅Ｎの大きな左右一対のスタンド片３５，３７を、前記スタンド片２１と同様、縦型設置装置１１（ケーシング１３）の長手方向に沿って前後の支持脚１７間に、取付ピン２３を用いてケーシング１３の外方及び底部１５に展開／収容可能に取り付けると共に、図９及び図１２の如き底部１５へのスタンド片３５，３７の収容時に、両スタンド片３５，３７のスタンド片本体３９，４１が重合することを避けるため、スタンド片本体３９，４１に、互いに嵌合する複数の切欠き４３，４５を左右方向に設けて、スタンド片本体３９，４１を平面視櫛形状としたものである。
【００３６】
そして、図１２及び図１４に示すように複数の切欠き４３，４５が開口するスタンド片３５，３７（スタンド片本体３９，４１）の外周４７，４９は、前記スタンド片２１と同様、縦型設置装置１１（ケーシング１３）の長手方向に沿って円弧状に形成されている。そして、図１１の如く取付ピン２３を回動中心に左右のスタンド片３５，３７をケーシング１３の外方へ展開すると、スタンド片本体３９，４１の内周５１，５３がケーシング１３の底部外周に当接して、スタンド片３５，３７が、夫々、縦型設置装置１１（ケーシング１３）に対し９０°の位置で位置決めされるようになっている。
【００３７】
更に、図１０に示すように本実施形態に於ても、スタンド片３５，３７のスタンド片３５，３７は支持脚１７の高さ寸法Ｈと同一寸法とされており、スタンド片３５，３７を底部１５に収容しても、スタンド片３５，３７が支持脚１７によるケーシング１３の自立に支障を来すことがないようになっている。
【００３８】
尚、その他の構成は前記実施形態と同様であるので、同一のものには同一符号を付してそれらの説明は省略する。
【００３９】
このように本実施形態は、縦型設置装置１１を支持するスタンド５５を、既述した形状からなる左右一対のスタンド片３５，３７で構成すると共に、スタンド片３５，３７（スタンド片本体３９，４１）の外周４７，４９を、縦型設置装置１１（ケーシング１３）の長手方向に沿って円弧状に形成したので、本実施形態によっても、前記実施形態と同様、所期の目的を達成することが可能である。
【００４０】
而も、本実施形態は、収容時に互いに嵌合する複数の切欠き４３，４５をスタンド片本体３９，４１に設けて、スタンド片３５，３７が重合しないように構成したので、図１のスタンド片２１に比しスタンド片３５，３７の設置面積を広げることが可能となり、この結果、装置設置のより確実な安定化を図ることができることとなった。
【００４１】
図１５乃至図１７は請求項１及び請求項２の一実施形態に係るスタンドとこれに支持される縦型設置装置を示し、図中、１１-1は、前記縦型設置装置１１と同様、ＡＢＳ樹脂等によりケーシング１３-1が狭幅な箱体に形成された縦型設置装置、５７は該縦型設置装置を設置するスタンドで、図１７に示すようにケーシング１３-1の底部１５-1には通気口５９が設けられている。
【００４２】
而して、本実施形態に係るスタンド５７は、図２１のスタンド３と同様、机上等の被設置面に当接する基台６１と、該基台６１上に立設され、縦型設置装置１１-1を挟持する２つの挟持壁６３，６５とで構成されている。また、挟持壁６３，６５間の中央には、前記通気口５９への風穴を確保するため、所定の高さ寸法からなる支持片６７が突設されており、縦型設置装置１１-1は該支持片６７で支えられ、且つ前記挟持壁６３，６５によってって挟持されるようになっている。
【００４３】
そして、図１７に示すように前記基台６１は平面視円形状に形成されており、基台６１の外周６９は、縦型設置装置１１-1（ケーシング１３-1）の長手方向に沿ってのみならず、全周が円弧状に形成されている。
【００４４】
このように本実施形態は、スタンド５７の基台６１を平面視円形状に形成してその外周６９を円弧状にしたので、風穴確保のためにスタンド５７の基台６１に前記支持片６７を突設して縦型設置装置１１-1の重心が高くなっても、前記スタンド片２１，３５，３７と同様、縦型設置装置１１-1が転倒しかかると、基台６１は面で支えるのでなく一点で支えることになるため、力が他点に逃げ、この結果、縦型設置装置１１-1の転倒を積極的に防止する。
【００４５】
従って、本実施形態によれば、装置設置の確実な安定化を図ることができる利点を有する。
【００４６】
尚、スタンドの基台は平面視円形状に限定されず、例えば請求項１及び請求項３の一実施形態に係る図１８のスタンド５７-1のように、基台６１-1を平面視楕円形状に形成したり、また、請求項１及び請求項４の一実施形態に係る図１９のスタンド５７-2のように、縦型設置装置１１-1の長手方向に沿って基台６１-2の左右の外周６９-1を円弧状に形成してもよい。
【００４７】
而して、これらの実施形態によっても、図１５乃至図１７に示す実施形態と同様、所期の目的を達成することが可能である。
【００４８】
図２０は請求項１，請求項２，請求項７及び請求項９に係るスタンドの一実施形態を示し、本実施形態は図１７のスタンド５７の構成に加え、平面視円形状に形成した基台６１-3の左右の外周側端部７１，７３に沿ってスリット７５，７７を形成することで、該外周側端部７１，７３に弾性を持たせたものである。
【００４９】
而して、本実施形態によれば、縦型設置装置１１-1が転倒しそうになった場合、弾性を有する外周側端部７１，７３が撓み、その弾力で力が他点に逃げるため、縦型設置装置１１-1の転倒をより確実に防止することができる利点を有する。
【００５０】
そして、本実施形態の如くスリットを設けて縦型設置装置の転倒を防止する構造は、既述した図１乃至図１９の各実施形態に適用できることは勿論である。
【００５１】
また、図示しないが前記スリット７５，７７に代え、請求項７及び請求項８に係る発明のように、基台の外周側端部を薄肉に形成して該外周側端部に弾性を持たせたり、また、請求項７及び請求項１０に係る発明の如く、被設置面との当接部位たる基台を、ばね性を持ったステンレスやポリエステルのエラストマーといった弾性を有する材料で形成して、基台の外周側端部に弾性を持たせてもよく、これらの各実施形態によっても、図２０の実施形態と同様、所期の目的を達成することが可能である。
【図面の簡単な説明】
【００５２】
【図１】請求項１及び請求項５の一実施形態に係るスタンドとこれを装着した縦型設置装置の正面図である。
【図２】スタンド片の動作説明図である。
【図３】スタンド片の動作説明図である。
【図４】スタンド片の動作を説明するケーシングの底面図である。
【図５】スタンド片の動作を説明するケーシングの底面図である。
【図６】スタンド片とケーシングの分解斜視図である。
【図７】スタンド片の展開時のケーシングの概略底面図である。
【図８】スタンド片の収容時のケーシングの概略底面図である。
【図９】請求項１，請求項５及び請求項６の一実施形態に係るスタンドとこれを装着した縦型設置装置の正面図である。
【図１０】スタンド片の動作説明図である。
【図１１】スタンド片の動作説明図である。
【図１２】スタンド片の動作を説明するケーシングの底面図である。
【図１３】スタンド片の動作を説明するケーシングの底面図である。
【図１４】スタンド片とケーシングの分解斜視図である。
【図１５】請求項１及び請求項２の一実施形態に係るスタンドとこれに支持される縦型設置装置の斜視図である。
【図１６】スタンドとこれに支持される縦型設置装置の正面図である。
【図１７】スタンドとこれに支持される縦型設置装置の底面図である。
【図１８】請求項１及び請求項３の一実施形態に係るスタンドとこれに支持される縦型設置装置の底面図である。
【図１９】請求項１及び請求項４の一実施形態に係るスタンドとこれに支持される縦型設置装置の底面図である。
【図２０】請求項１，請求項２，請求項７及び請求項９に係るスタンドとこれに支持される縦型設置装置の底面図である。
【図２１】従来の縦型設置装置のスタンドの全体斜視図である。
【符号の説明】
【００５３】
１１，１１-1  縦型設置装置
１３，１３-1  ケーシング
１５，１５-1  底部
１７  支持脚
１９，５５，５７，５７-1，５７-2  スタンド
２１，３５，３７  スタンド片
２３  取付ピン
２５  ピン挿通孔
２７  支持突片
２９，３９，４１  スタンド片本体
３１，５１，５３  内周
３３，４７，４９，６９，６９-1  外周
４３，４５  切欠き
５９  通気口
６１，６１-1，６１-2，６１-3  基台
６３，６５  挟持壁
６７  支持片
７１，７３  外周側端部
７５，７７  スリット
【図１】
2008294354.tif 000003
【図２】
2008294354.tif 000004
【図３】
2008294354.tif 000005
【図４】
2008294354.tif 000006
【図５】
2008294354.tif 000007
【図６】
2008294354.tif 000008
【図７】
2008294354.tif 000009
【図８】
2008294354.tif 000010
【図９】
2008294354.tif 000011
【図１０】
2008294354.tif 000012
【図１１】
2008294354.tif 000013
【図１２】
2008294354.tif 000014
【図１３】
2008294354.tif 000015
【図１４】
2008294354.tif 000016
【図１５】
2008294354.tif 000017
【図１６】
2008294354.tif 000018
【図１７】
2008294354.tif 000019
【図１８】
2008294354.tif 000020
【図１９】
2008294354.tif 000021
【図２０】
2008294354.tif 000022
【図２１】
2008294354.tif 000023